(57)【要約】【課題】カード発行までに相当の時間を要することなく、写真データを表示した感熱カードを発行することができるカードライタを提供する。【解決手段】カードライタ１は、主として、制御部１０と、サーマルヘッド２４ａと、消去ヘッド２５ａと、ＣＣＤカメラ４０とを備える。ＣＣＤカメラ４０によって撮像することにより、カードライタ１に写真データを入力する。サーマルヘッド２４ａを動作させることにより、写真データに基づいて形成される画像データをカード８０の表示部に記録する。これにより、写真データを含むカード８０を即時発行できる。また同様に、写真データを含む画像データの書き換え処理も即時に実行できる。【選択図】図１
2006212906.tif 000002
【特許請求の範囲】
【請求項１】
書き換え自在な表示部を有する感熱カードに、所定の画像データを発色させるカードライタであって、
(a)  前記表示部に画像データを発色させる発色手段と、
(b)  前記表示部の画像データを消去する消去手段と、
(c)  写真データの入力を可能とする撮像手段と、
(d)  前記発色手段を制御して、前記撮像手段によって撮像された写真データに基づいて形成される画像データを前記表示部に記録する制御手段と、
を備えることを特徴とするカードライタ。
【請求項２】
請求項１に記載のカードライタにおいて、
(e)  前記感熱カードに設けられた記憶部に対して不可視データの読み書きを可能とする不可視データ記録部、
をさらに備えることを特徴とするカードライタ。
【請求項３】
請求項１または請求項２に記載のカードライタにおいて、
(f)  前記撮像手段によって撮像された写真データを前記情報処理装置に送信する送信手段と、
(g)  前記情報処理装置において前記送信手段によって送信された写真データに基づいて形成されるとともに、前記情報処理装置から送信される画像データを受信する受信手段と、をさらに備え、
前記制御手段は、前記受信手段によって受信された画像データを前記表示部に記録させることを特徴とするカードライタ。
【請求項４】
請求項１ないし請求項３のいずれかに記載のカードライタにおいて、
前記発色手段と、前記消去手段と、前記撮像手段と、前記制御手段とは１つの筐体に設けられていることを特徴とするカードライタ。
【請求項５】
請求項２ないし請求項４のいずれかに記載のカードライタにおいて、
前記記憶部は、磁気ストライプであることを特徴とするカードライタ。
【請求項６】
請求項２ないし請求項４のいずれかに記載のカードライタにおいて、
前記記憶部は、ＲＦ−ＩＤタグであることを特徴とするカードライタ。
【請求項７】
請求項１ないし請求項６のいずれかに記載のカードライタにおいて、
前記表示部は、ロイコ染料を含むことを特徴とするカードライタ。
【発明の詳細な説明】
【技術分野】
【０００１】
書き換え自在な表示部を有する感熱カードに、所定の画像データを発色させるカードライタに関する。
【背景技術】
【０００２】
従来より、書換え表示の可能な表示部を有するカードを利用したカードシステムが知られている（例えば、特許文献１）。
【０００３】
【特許文献１】特開平０８−００７０６０号公報
【発明の開示】
【発明が解決しようとする課題】
【０００４】
しかし、特許文献１のカードシステムでは、例えば利用者の顔写真等の写真データを表示したカードを即時発行することができない。そのため、カード発行まで相当の時間を要し、その結果、カード発行者およびカード利用者の要望に応えることができない。
【０００５】
そこで、本発明では、カード発行までに相当の時間を要することなく、写真データを表示した感熱カードを発行することができるカードライタを提供することを目的とする。
【課題を解決するための手段】
【０００６】
上記課題を解決するため、請求項１の発明は、書き換え自在な表示部を有する感熱カードに、所定の画像データを発色させるカードライタであって、前記表示部に画像データを発色させる発色手段と、前記表示部の画像データを消去する消去手段と、写真データの入力を可能とする撮像手段と、前記発色手段を制御して、前記撮像手段によって撮像された写真データに基づいて形成される画像データを前記表示部に記録する制御手段と、を備える。
【０００７】
また、請求項２の発明は、請求項１に記載のカードライタにおいて、前記感熱カードに設けられた記憶部に対して不可視データの読み書きを可能とする不可視データ記録部、をさらに備える。
【０００８】
また、請求項３の発明は、請求項１または請求項２に記載のカードライタにおいて、前記撮像手段によって撮像された写真データを前記情報処理装置に送信する送信手段と、前記情報処理装置において前記送信手段によって送信された写真データに基づいて形成されるとともに、前記情報処理装置から送信される画像データを受信する受信手段と、をさらに備え、前記制御手段は、前記受信手段によって受信された画像データを前記表示部に記録させることを特徴とする。
【０００９】
また、請求項４の発明は、請求項１ないし請求項３のいずれかに記載のカードライタにおいて、前記発色手段と、前記消去手段と、前記撮像手段と、前記制御手段とは１つの筐体に設けられていることを特徴とする。
【００１０】
また、請求項５の発明は、請求項２ないし請求項４のいずれかに記載のカードライタにおいて、前記記憶部は、磁気ストライプであることを特徴とする。
【００１１】
また、請求項６の発明は、請求項２ないし請求項４のいずれかに記載のカードライタにおいて、前記記憶部は、ＲＦ−ＩＤタグであることを特徴とする。
【００１２】
また、請求項７の発明は、請求項１ないし請求項６のいずれかに記載のカードライタにおいて、前記表示部は、ロイコ染料を含むことを特徴とする。
【発明の効果】
【００１３】
請求項１から請求項７に記載の発明によれば、撮像手段によって撮像された写真データに基づき形成される画像データ（すなわち、写真データを含む画像データ）を感熱カードの表示部に記録することができる。そのため、写真データの記録された感熱カードを即時発行できる。また、表示部に記録された画像データを消去し、再度画像データを発色させることができる。そのため、使用済み、または、使用しなくなった感熱カードを再利用することができる。
【００１４】
特に、請求項２に記載の発明によれば、感熱カードの使用目的に応じた不可視データを感熱カードの記憶部に記録することができ、また、記憶部に記録された不可視データを読み取ることができる。そのため、使用目的に応じた感熱カードの利用（例えば、社員証、およびプリペイドカード等）が可能となる。
【００１５】
特に、請求項３に記載の発明によれば、情報処理装置にて形成された画像データを感熱カードの表示部に記録することができる。
【００１６】
特に、請求項４に記載の発明によれば、発色手段と、消去手段と、撮像手段と、制御手段とが１つの筐体に設けられている。そのため、他の装置を使用することなく、写真データの記録された感熱カードを即時発行できる。また写真データの書き換え処理も即時に実行できる。
【００１７】
特に、請求項５に記載の発明によれば、磁気ストライプに記録された不可視データにより、使用目的に応じた感熱カードの利用が可能となる。
【００１８】
特に、請求項６に記載の発明によれば、ＲＦ−ＩＤタグに記録された不可視データにより、使用目的に応じた感熱カードの利用が可能となる。
【００１９】
特に、請求項７に記載の発明によれば、表示部はロイコ染料を含んでおり、見やすい画像データを容易に表示部に記録できる。
【発明を実施するための最良の形態】
【００２０】
以下、図面を参照しつつ本発明の実施の形態について詳細に説明する。
【００２１】
＜１．カードライタおよび情報処理装置の構成＞
図１は、本発明の実施の形態におけるカードライタ１および情報処理装置１００の全体構成の一例を示す図である。図２は、カードライタ１の機能構成を説明するための図である。また、図３は、情報処理装置１００の機能構成を説明するための図である。図１および図２に示すように、カードライタ１は、主として、サーマルヘッド２４ａと、消去ヘッド２５ａと、ＣＣＤカメラ４０と、制御部１０とを備えており、これらサーマルヘッド２４ａ、消去ヘッド２５ａ、ＣＣＤカメラ４０、および制御部１０は、１つの筐体に設けられる。
【００２２】
ＣＣＤカメラ４０は、カード利用者の顔写真等の写真データをカードライタ１に入力するために使用される撮像部である。図１に示すように、ＣＣＤカメラ４０は、主として、レンズ４２が取り付けられた可動部４１を有する。
【００２３】
可動部４１は、矢印ＡＲ１方向に回動可能に設けられている。これにより、可動部４１の位置を、本体部６０に収納された位置（図１の点線位置）から起立姿勢となる位置（図１の実線位置）の間で可変とすることができる。そのため、可動部４１を回動させることにより、（１）写真撮影を行う際には、ＣＣＤカメラ４０の姿勢を撮像対象物（例えば、人物）に応じた姿勢とすることができ、また、（２）カード発行処理を行う際には、ＣＣＤカメラ４０を本体部６０に収納することができる。
【００２４】
ＬＣＤタッチパネル５０は、図１に示すように、本体部６０に取り付けられており、カードライタ１のオペレータ（以下、単に「オペレータ」と呼ぶ）の操作入力部および表示部として兼用して使用される。したがって、オペレータは、ＬＣＤタッチパネル５０の表示にしたがい、カードライタ１に対して所定の指示（例えば、写真撮影を実行させる旨の指示）をすることができる。
【００２５】
ここで、感熱カード８０について説明する。図４および図５は、本実施の形態で使用される感熱カード（以下、単に、「カード」と呼ぶ）８０の表面および裏面の一例を示す図である。カード８０は、主として、（１）表面に設けられており、書き換え自在な表示部８１（図４参照）と、（２）裏面に設けられた磁気ストライプ８５（図５参照）とを備える。
【００２６】
表示部８１は、ロイコ染料を含むロイコ型材料によって構成される。表示部８１では、ロイコ染料と顕色剤との相互作用によって画像の発色処理および消去処理を実現している。すなわち、印字層中に存在するロイコ染料と顕色剤は、発色（印字）に必要な温度（１７０度以上）まで昇温させると、溶けあった状態となる。そして、この状態で急激に冷却すると混ざり合ったまま結晶化して発色状態を保つことができる。このように、昇温後急冷することにより、表示部８１に画像を描画することができる。
【００２７】
これに対して、徐々に冷却すると、ロイコ染料と顕色剤とがそれぞれ結晶化するため、発色状態を保つことができない。すなわち、昇温後徐冷することにより、表示部８１の画像を消去（消色）することができる。
【００２８】
したがって、上述の発色／消去原理を利用することにより、表示部８１には、文字データ（例えば、図４の文字データ部８２）、または／および、ＣＣＤカメラ４０によって撮像された写真データ（例えば、図４の写真データ部８３）から構成される画像データが記録される。
【００２９】
磁気ストライプ８５は、データを記録するデータ記録媒体として使用される。すなわち、本実施の形態において磁気ストライプ８５は、不可視データを記録する記憶部として使用される。この不可視データを使用することにより、使用目的に応じたカード８０の利用が可能となる。
【００３０】
例えば、図４および図５に示す社員証の場合、磁気ストライプ８５には、社員を一意に識別できる識別ＩＤを不可視データとして記録し、表示部８１には、その社員の顔写真、社員番号、および直近の勤務時間等を表示してもよい。これにより、表示部８１に表示された写真データ部８３と、カード利用者とを比較して本人確認することができる。また、磁気ストライプ８５に記録された識別ＩＤを所定の装置で読み取ることにより、各社員の勤怠管理や入室制限を行うことができる。
【００３１】
また、所定日において遊園地内の乗り物が乗り放題となる乗り物券（フリーパス）の場合、磁気ストライプ８５には、識別ＩＤの他に、パス利用者の年齢データ、および利用された乗り物を一意に識別するデータ（以下、「乗り物ＩＤ」と呼ぶ）等を記録し、表示部８１には、フリーパスを使用できる日等を表示してもよい。この場合、使用後にフリーパス（カード８０）を回収して磁気ストライプ８５に記録された乗り物ＩＤや年齢データを解析することにより、さまざまな統計データを取得することができる。また、使用後に、磁気ストライプ８５の不可視データおよび表示部８１の画像データを消去し、新たな画像データを表示部８１に記録することにより、カード８０をフリーパスとして再利用できる。
【００３２】
また、電車等の定期乗車券の場合、磁気ストライプ８５には、カードを一意に識別する識別ＩＤと、乗車駅および降車駅情報とを記録し、表示部８１には、有効期限、乗車駅名、および降車駅名等を表示してもよい。さらに、プリペイドカードの場合、磁気ストライプ８５には、カードの識別ＩＤ、および金額残高を記録し、表示部８１には、利用履歴および金額残高を表示してもよい。このように、カード８０を定期乗車券やプリペイドカードとして使用する場合、使用後に回収して表示部８１、磁気ストライプ８５の情報を書き換えることにより、カード８０をそれぞれの用途で再利用できる。
【００３３】
図２に戻って、カード位置検出センサ２１は、本体部６０の開口部７０から挿入されたカード８０の位置を検出する。この検出結果に基づき、後述するモータ２２ａ、Ｒ／Ｗヘッド２３ａ、サーマルヘッド２４ａ、および消去ヘッド２５ａの動作状況が制御される。
【００３４】
モータ駆動部２２は、制御部１０から送信させる駆動信号に従って、モータ２２ａの駆動させる。磁気ストライプＲ／Ｗ部２３は、Ｒ／Ｗヘッド２３ａを動作させることにより、磁気ストライプ８５から不可視データを読み出したり、磁気ストライプ８５に不可視データを書き込む。
【００３５】
印字ヘッド駆動部２４は、サーマルヘッド２４ａを動作させることにより、ＲＡＭ２８に格納される画像データをカード８０の表示部８１に印字する処理を実行する。消去ヘッド駆動部２５は、消去ヘッド２５ａを動作させることにより、表示部８１に記録された画像データを消去する処理を実行する。
【００３６】
このように本実施の形態において、サーマルヘッド２４ａは、表示部８１に画像データを発色させる発色部として、また、消去ヘッド２５ａは、発色部８１に記録された画像データを消去する消去部として、それぞれ使用される。
【００３７】
ＵＳＢ（Universal Serial Bus）インタフェース２６は、情報処理装置１００との間でデータの授受等を行う際に用いられる通信部である。図１および図２に示すように、カードライタ１と情報処理装置１００とは、信号線５を介して電気的に接続される。文字フォントＲＯＭ２７は、フォントデータが格納された読み出し専用メモリである。ＲＡＭ２８は、情報処理装置１００から送信される画像データを格納するメモリである。
【００３８】
ブザー３１は、カードライタ１において、例えば印字処理が正しく実行されなかった等の問題が発生した場合に、警報音を発することによってオペレータに問題発生を知らせる警報部である。ＲＴＣ（Real Time Clock）３２は、現在日時の取得に使用される計時専用のチップである。
【００３９】
制御部１０は、図１および図２に示すように、本体部６０に格納されており、主として、フラッシュＲＯＭ１２と、フラッシュＲＯＭ１２に格納されるプログラムに従った制御を実行するＣＰＵ１１とを備える。また、ＣＰＵ１１およびフラッシュＲＯＭ１２は、バス１５を介して、モータ駆動部２２、磁気ストライプＲ／Ｗ部２３、印字ヘッド駆動部２４、消去ヘッド駆動部２５、ＣＣＤカメラ４０、およびＬＣＤタッチパネル５０等と電気的に接続される。
【００４０】
フラッシュＲＯＭ１２は、電気的に書き換え可能なメモリであり、カードライタ１の電源を切ってもデータは保持され続ける。フラッシュＲＯＭ１２には、（１）カードライタ１の基本的な制御を行うためのソフトウェアとして使用されるファームウェア１２ａと、印字処理や消去処理等の特定の処理を実行させるソフトウェアとして使用されるアプリケーション１２ｂと、が格納される。
【００４１】
ＣＰＵ１１は、フラッシュＲＯＭ１２に格納されるファームウェア１２ａやアプリケーション１２ｂなどのプログラムに従って、例えば、モータ２２ａの回転処理、Ｒ／Ｗヘッド２３ａによる磁気ストライプ８５（図５参照）の読み書き処理、サーマルヘッド２４ａによる印字処理、および消去ヘッド２５ａによる消去処理等を所定のタイミングで実行できる。また、ＣＰＵ１１は、ＣＣＤカメラ４０によって撮像された写真データに基づき形成された画像データをカード８０の表示部８１に記録する処理も、所定のタイミングで実行できる。
【００４２】
次に、情報処理装置１００について説明する。情報処理装置１００は、いわゆるパーソナルコンピュータやワークステーションによって構成される。図１および図３に示すように、情報処理装置１００は、主として、制御部１１０と、ＣＲＴ（Cathode Ray Tube）や液晶ディスプレイによって構成される表示部１２０と、キーボードやマウスから構成される入力部１３０と、大容量記憶部１４０とを備える。
【００４３】
大容量記憶部１４０は、シリコンディスクドライブやハードディスクドライブ等のように、メモリ１１１と比較して記憶容量の大きな素子によって構成される記憶部である。したがって、大容量記憶部１４０は、カード８０に関するデータベース１４１やＣＰＵ１１２で実行されるプログラム等を保存することができる。そして、必要に応じてメモリ１１１との間でデータやプログラムの授受を行う。
【００４４】
制御部１１０は、図１および図３に示すように、本体部１５０に格納されており、主として、プログラムや変数等を格納するメモリ１１１と、メモリ１１１に格納されるプログラムに従った制御を実行するＣＰＵ１１２と、外部インタフェース１１３とを備える。
【００４５】
外部インタフェース１１３は、カードライタ１との間でデータの授受等を行う際に用いられる通信部である。ＣＰＵ１１２は、メモリ１１１に格納されるプログラムに従って、例えば、表示部１２０の表示処理、カードライタ１との通信処理等を所定のタイミングで実行できる。また、ＣＰＵ１１２は、カードライタ１から送信される写真データと、文字データとから画像データを形成する処理を所定のタイミング実行できる。
【００４６】
＜２．カードライタによる書み込み処理手順＞
図６は、カード８０に対して可視データ（画像データ）および不可視データを書込む処理の手順を示すフローチャートである。図７は、新規のカード８０に対して可視データ（画像データ）および不可視データを書込む処理の手順を示すフローチャートである。また、図８は、データ更新が必要なカード８０に対して可視データおよび不可視データを書込む処理の手順を示すフローチャートである。
【００４７】
カード８０の書込み処理では、まず、カードライタ１に挿入されたカード８０の磁気ストライプ８５から磁気情報（不可視データ）が読み出される（Ｓ１０１）。この時、磁気ストライプ８５から磁気情報が読み出せない場合には（Ｓ１０２）、挿入されたカード８０が新規カードであるか否かの判断が行われる（Ｓ１０３）。
【００４８】
挿入されたカード８０が、磁気情報も画像データも記録されていない新規カードであると判断された場合には、後述する新規カードに関する処理（図７参照）が実行される（Ｓ１０４）。これに対して、挿入されたカードが新規カードでないと判断された場合には、ブザー３１（図２参照）から警報音を鳴らさせるとともに、ＬＣＤタッチパネル５０に警告表示をする警告処理がなされる（Ｓ１０５）。そして、新規カードに関する処理、または、警告処理が完了すると、カード８０はカードライタ１から排出されて書込み処理が終了する（Ｓ１０９）。
【００４９】
ここで、ステップＳ１０４の「新規カードに関する処理」は、以下のようにして実行される。すなわち、図７に示すように、本処理では、まず、情報処理装置（ホスト）１００からの不可視データを受信し（Ｓ２０１）、この不可視データを新規情報として磁気ストライプ８５に書き込む（Ｓ２０２）。例えば、図４および図５に示す社員証の場合、カードを利用する社員に対応する識別ＩＤを磁気ストライプ８５に書き込む。
【００５０】
次に、写真データをカードライタ１に入力するため、オペレータはＣＣＤカメラ４０による写真撮影を実行する（Ｓ２０３）。ＬＣＤタッチパネル５０に表示された撮影結果が不適切な場合（例えば、撮像対象物が撮影範囲外にはみ出している場合）には、ステップＳ２０３による写真撮影を再度実行する。
【００５１】
これに対して、撮影結果が適切な場合には、ＣＣＤカメラ４０によって撮像された写真データが情報処理装置（ホスト）１００に送信される（Ｓ２０５）。カードライタ１からの写真データを受信した情報処理装置１００は、必要な場合、写真データと文字データとを合成した画像データを作成する。例えば、図４および図５に示す社員証の場合、情報処理装置１００は、カード利用者の写真データと、カード利用者の氏名、社員番号、および直近の勤務時間に関する文字データとを合成した画像データを作成する。また、情報処理装置１００は、大容量記憶部１４０に格納されたデータベース１４１に受信した写真データを登録する。
【００５２】
情報処理装置１００で合成された画像データをカードライタ１が受信すると（Ｓ２０６）、カードライタ１は、モータ２２ａおよびサーマルヘッド２４ａの動作を制御することにより、この受信した画像データをカード８０の表示部８１に記録する（Ｓ２０７）。そして、画像データの発色処理が完了すると、新規カードに関する処理（図６のＳ１０４）が終了し、図６のフローチャートに戻る。
【００５３】
一方、磁気ストライプ８５から磁気情報が読み出せた場合、磁気ストライプ８５に記録された磁気情報、および／または、表示部８１の画像データを更新すべきか否かを問い合わせるため、読み出した磁気情報のうちカード８０の識別ＩＤを情報処理装置（ホスト）１００に送信する（Ｓ１０６）。カードライタ１からの識別ＩＤを受信した情報処理装置１００は、この識別ＩＤに基づいてデータベース１４１（図３参照）を検索する。
【００５４】
磁気情報、および／または、画像データに更新すべき情報が存在する場合（Ｓ１０７）、カードライタ１では、後述する更新処理（図８参照）が実行される（Ｓ１０８）。そして更新処理が完了すると、カード８０がカードライタ１から排出され、書込み処理が終了する（Ｓ１０９）。
【００５５】
これに対して、更新すべき情報がない場合には、更新処理を実行することなくカード８０がカードライタ１から排出され、書込み処理が終了する（Ｓ１０９）。
【００５６】
ここで、ステップＳ１０８の「更新処理」は、以下のようにして実行される。すなわち、図８に示すように、本処理では、まず、情報処理装置（ホスト）１００から送信される更新情報（不可視データ）を受信する（Ｓ３０１）。次に、磁気ストライプ８５の磁気情報（不可視データ）のうち更新すべきデータを消去するとともに（Ｓ３０２）、情報処理装置１００からの更新情報を磁気ストライプ８５に書き込む（Ｓ３０３）。
【００５７】
続いて、写真データをカードライタ１に入力するため、オペレータはＣＣＤカメラ４０による写真撮影を実行する（Ｓ３０５）。ＬＣＤタッチパネル５０に表示された撮影結果が不適切な場合には、ステップＳ３０５による写真撮影を再度実行する。
【００５８】
これに対して、撮影結果が適切な場合には、ＣＣＤカメラ４０によって撮像された写真データが情報処理装置（ホスト）１００に送信される（Ｓ３０７）。カードライタ１からの写真データを受信した情報処理装置１００は、必要な場合、写真データと文字データとを合成した画像データを作成する。また、情報処理装置１００は、大容量記憶部１４０に格納されたデータベース１４１に受信した写真データを登録する。
【００５９】
情報処理装置１００で合成された画像データをカードライタ１が受信すると（Ｓ３０８）、カードライタ１は、モータ２２ａ、サーマルヘッド２４ａ、および消去ヘッド２５ａの動作を制御することにより、表示部８１に既に記録された画像データを消去し、続いて、この受信した画像データをカード８０の表示部８１に記録する（Ｓ３０９）。そして、画像データの発色処理が完了すると、更新処理（図６のＳ１０８）が終了し、図６のフローチャートに戻る。
【００６０】
＜３．本実施の形態のカードライタの利点＞
以上のように、本実施の形態のカードライタ１は、表示部８１に画像データを記録するサーマルヘッド２４ａと、表示部８１に記録された画像データを消去する消去ヘッド２５ａと、ＣＣＤカメラ４０と、制御部１０とが一体的に構成される。そのため、他の装置を使用することなく、写真データの記録されたカード８０を即時発行できる。また同様に、写真データを含む画像データの書き換え処理も即時に実行できる。
【００６１】
＜４．変形例＞
以上、本発明の実施の形態について説明してきたが、本発明は上記実施の形態に限定されるものではなく様々な変形が可能である。
【００６２】
（１）本実施の形態のＣＣＤカメラ４０は、本体部６０に回動可能に取り付けられるが、これに限定されるものでなく、例えば、本体部６０から着脱自在としてもよい。すなわち、撮影時には、本体部６０から取り外して撮像対象を撮影できるようにしてもよい。
【００６３】
（２）本実施の形態のカード８０において、不可視データは磁気データとして記録されるが、これに限定されるものでなく、例えば、記憶部としてＲＦ−ＩＤ（Radio Frequency IDentification）タグを使用し、不可視データを電子データとして記録してもよい。
【００６４】
（３）また、本実施の形態の表示部８１は、カード８０の表面に設けられているが、これに限定されるものでなく、裏面に設けてもよいし、表裏の両面に設けてもよい。
【００６５】
（４）本実施の形態の更新処理（図８参照）では、磁気ストライプ８５の不可視データおよび表示部８１画像データの両者を更新する場合について説明したが、これに限定されるものでなく、例えば、画像データだけを更新してもよいし、不可視データだけを更新してもよい。
【図面の簡単な説明】
【００６６】
【図１】本発明の実施の形態におけるカードライタおよび情報処理装置の全体構成の一例を示す図である。
【図２】カードライタの機能構成を説明するための図である。
【図３】情報処理装置の機能構成を説明するための図である。
【図４】感熱カードの一例を示す図である。
【図５】感熱カードの一例を示す図である。
【図６】感熱カードに対して可視データおよび不可視データを書き込む処理の手順を示すフローチャートである。
【図７】新規の感熱カードに対して可視データおよび不可視データを書き込む処理の手順を示すフローチャートである。
【図８】データ更新が必要な感熱カードに対して可視データおよび不可視データを書き込む処理の手順を示すフローチャートである。
【符号の説明】
【００６７】
１    カードライタ
５、１８０  信号線
１０  制御部
４０  ＣＣＤカメラ
４１  可動部
４２  レンズ
５０  ＬＣＤタッチパネル
６０  本体部
７０  開口部
８０  カード
８１  表示部
８２  文字データ部
８３  写真データ部
８５  磁気ストライプ
１００  情報処理装置
１１０  制御部
１２０  表示部
１３０  入力部
１４０  大容量記憶部
１６０  本体部
【図１】
2006212906.tif 000003
【図２】
2006212906.tif 000004
【図３】
2006212906.tif 000005
【図４】
2006212906.tif 000006
【図５】
2006212906.tif 000007
【図６】
2006212906.tif 000008
【図７】
2006212906.tif 000009
【図８】
2006212906.tif 000010